(57)【要約】【課題】　トラッキング方向に変位される際にレンズホルダーに発生する有害な回転力を抑制するため、レンズホルダーの上側支持ワイヤーのスティフネスをレンズホルダーの下側支持ワイヤーのスティフネスに比べて大とするのに際し、上側と下側とで線径の異なる支持ワイヤーを使用すると、作業性の劣化が問題である。【解決手段】　対物レンズ２を挟んでレンズホルダー１の両側にそれぞれ取り付けられる各固定板２３，２４にレンズホルダー１の各側に配置されるそれぞれ２本の支持ワイヤー２０がハンダ付けにより固定されるようにし、この場合、前記各固定板２３，２４に固定されるそれぞれ２本の支持ワイヤー２０の固定範囲を下側の支持ワイヤー２０に比べて上側の支持ワイヤーを大とし、上側の支持ワイヤー２０の有効長を下側の支持ワイヤー２０の有効長に比べて短くしている。【選択図】  図２
2004014113.tif 000002
【特許請求の範囲】
【請求項１】
対物レンズが取り付けられたレンズホルダーに駆動コイルを装着し、その駆動コイルを磁気回路により形成される磁界中に配置し、その駆動コイルに駆動信号を供給して対物レンズを駆動する対物レンズ駆動装置であって、前記レンズホルダーの対物レンズを挟んだ両側にそれぞれ２本ずつ配置されてそのレンズホルダーを変位可能に弾性的に支持する４本の支持ワイヤーと、対物レンズを挟んでレンズホルダーの両側にそれぞれ取り付けられ、レンズホルダーの各側に配置されるそれぞれ２本の支持ワイヤーがハンダ付けにより固定される各固定板とを備え、上側の支持ワイヤーの有効長を下側の支持ワイヤーの有効長に比べて短くするべく前記各固定板に固定されるそれぞれ２本の支持ワイヤーの固定範囲を下側の支持ワイヤーに比べて上側の支持ワイヤーを大としたことを特徴とする対物レンズ駆動装置。
【請求項２】
駆動コイルの巻回始端及び巻回終端の各巻回端部がそれぞれ絡げて係止される複数の係止部をレンズホルダーに設け、前記各固定板は所定の係止部を挟み込む挾持部を有すると共に、その挾持部にそれぞれランド部を有し、前記各固定板に固定されるそれぞれ２本の支持ワイヤーのうち下側の支持ワイヤーをその支持ワイヤーに対応する挾持部に設けられたランド部に直接ハンダ付けするようにすると共に、上側の支持ワイヤーをその支持ワイヤーに対応する挾持部に設けられたランド部より拡張されてそのランド部に連接される拡張ランド部にハンダ付けするように成したことを特徴とする請求項１記載の対物レンズ駆動装置。
【発明の詳細な説明】
【技術分野】
【０００１】
本発明は、対物レンズが取り付けられるレンズホルダーが変位可能に弾性的に支持された対物レンズ駆動装置に関する。
【背景技術】
【０００２】
ディスク等の信号記録媒体に対して光学的に信号の読み取り、あるいは書き込みを行う光学ヘッドにおける対物レンズ駆動装置は、一般に、対物レンズが取り付けられたレンズホルダーが対物レンズを除く各光学素子を組み込んだ光学ハウジングに対して変位可能に支持され、前記レンズホルダーにフォーカシングコイル及びトラッキングコイル等の駆動コイルが装着されると共に、その駆動コイルの所定部分が磁気回路により形成される有効磁束内に配置されることにより前記駆動コイルに供給される駆動信号に応じて対物レンズを駆動する構成となっている。
【０００３】
　対物レンズ駆動装置においては、光学ハウジングに対してレンズホルダーを変位可能に弾性的に支持するために複数の支持ワイヤーを用いる構成が主流となっており、一般に各支持ワイヤーの両端をそれぞれベース及びレンズホルダーに固定するようになっている。
【０００４】
　ところで、レンズホルダーに装着されるフォーカシングコイル及びトラッキングコイルには、駆動信号が各支持ワイヤーを介して供給されるので、各支持ワイヤーをそれぞれ対応する各巻回端部に接続する必要がある。
【０００５】
　従来、レンズホルダーにおける支持ワイヤーの固定部分となる固定板をプリント配線板により構成し、その固定板をレンズホルダーの対物レンズを挟んだ両側にそれぞれ取り付け、各固定板に各支持ワイヤーの一端及び駆動コイルの各巻回端部をハンダ付けすることにより各支持ワイヤーをそれぞれ対応する各巻回端部に接続することが行われている。
【発明の開示】
【発明が解決しようとする課題】
【０００６】
　ところで、レンズホルダーには、重量バランスの不均衡やトラッキングコイルの無効部分により発生される駆動力等に起因してトラッキング方向に変位される際に対物レンズの光軸と直交する方向を中心にした有害な回転力が発生する。
【０００７】
　この回転力を抑制するためには、レンズホルダーの上側に支持される上側支持ワイヤーのスティフネスをレンズホルダーの下側に支持される下側支持ワイヤーのスティフネスに比べて大とすることが有効であるが、従来は上側支持ワイヤー及び下側支持ワイヤーのスティフネスを異ならせるために上側と下側とで線径の異なる支持ワイヤーを使用する構成とすることが行われていた。
【０００８】
　このような構成にすると、線径の異なる支持ワイヤーが使用されることにより作業性が劣化する、という問題があった。
【課題を解決するための手段】
【０００９】
　本発明は、対物レンズを挟んでレンズホルダーの両側にそれぞれ取り付けられる各固定板にレンズホルダーの各側に配置されるそれぞれ２本の支持ワイヤーがハンダ付けにより固定されるようにし、この場合、前記各固定板に固定されるそれぞれ２本の支持ワイヤーの固定範囲を下側の支持ワイヤーに比べて上側の支持ワイヤーを大とし、上側の支持ワイヤーの有効長を下側の支持ワイヤーの有効長に比べて短くし、これにより上側の支持ワイヤーのスティフネスを下側の支持ワイヤーのスティフネスに比べて大とする。
【発明の効果】
【００１０】
　以上述べた如く、本発明は、レンズホルダーの各側の各固定板に固定されるそれぞれ２本の支持ワイヤーの固定範囲を下側の支持ワイヤーに比べて上側の支持ワイヤーを大とし、上側の支持ワイヤーの有効長を下側の支持ワイヤーの有効長に比べて短くしているので、レンズホルダーがトラッキング方向に駆動される際に対物レンズの光軸と直交する方向を中心にして発生する有害な回転力が抑制され、レンズホルダーをトラッキング方向に安定して駆動することが出来る。
【００１１】
　この場合、上側の支持ワイヤーの有効長を下側の支持ワイヤーの有効長に比べて短くすることが上側及び下側の支持ワイヤーをそれぞれハンダ付けする固定板の各ランド部における支持ワイヤーの軸方向の長さを相違させることにより容易に達成出来る。
【実施例１】
【００１２】
　図１は本発明に係る対物レンズ駆動装置の一実施例を示す平面図、図２は図１に示す対物レンズ駆動装置の側面からの端面図である。
【００１３】
　同図において、１は中央に対物レンズ２が装着されたレンズホルダーであり、このレンズホルダー１は対物レンズ２が装着される位置を挟む両側に対物レンズ２の光軸を通る直線に対して線対称となる位置が第１ボビン部及び第２ボビン部となり、その第１ボビン部にフォーカスコイル３ａ及びトラッキングコイル４ａ，４ｂが、第２ボビン部にフォーカスコイル３ｂ及びトラッキングコイル４ｃ，４ｄがそれぞれ対応して巻回されるようになっている。
【００１４】
　その為、レンズホルダー１の対物レンズ２が装着される中央部分の下方は、前記第１及び第２ボビン部間が空間になっている。
【００１５】
　フォーカスコイル３ａ及び３ｂは一本のコイル線材を連続してそれぞれ第１及び第２ボビン部に対物レンズ２の光軸方向に巻回中心軸を有して略矩形状に巻回されており、互いに直列の接続されている。
【００１６】
　また、トラッキングコイル４ａ，４ｂ及び４ｃ，４ｄは一本のコイル線材を連続してそれぞれ一つのボビン部に対して２つずつ対を成して対物レンズ２の光軸方向と直交する巻回中心軸を有して略矩形状に巻回されており、互いに直列に接続されている。
【００１７】
　５及び６はレンズホルダー１の第１ボビン部を挟んで互いに同一磁極の一方の磁極面（Ｎ極）が対向するべくそれぞれ配置された第１の一対の永久磁石、７及び８はレンズホルダー１の第２ボビン部を挟んで互いに同一磁極の一方の磁極面（Ｎ極）が対向するべくそれぞれ配置された第２の一対の永久磁石である。
【００１８】
　前記第１の永久磁石５及び６にはそれぞれ他方の磁極面（Ｓ極）にそれぞれ外部ヨーク９及び１０が付設されており、前記第２の永久磁石７及び８にはそれぞれ他方の磁極面（Ｓ極）にそれぞれ外部ヨーク１１及び１２が付設されている。
【００１９】
　また、前記第１の永久磁石５及び６のそれぞれ一方の磁極面（Ｎ極）には、レンズホルダー１の各永久磁石５及び６の間の中央部分に形成される孔１３内に配置される内部ヨーク１４が対向されており、前記第１の永久磁石５及び６と外部ヨーク９及び１０と内部ヨーク１４とは永久磁石５の一方の磁極面と内部ヨーク１４との間、及び永久磁石６の一方の磁極面と内部ヨーク１４との間にそれぞれ磁気空隙を形成する第１磁気回路部を構成する。
【００２０】
　また、前記第２の永久磁石７及び８のそれぞれ一方の磁極面（Ｎ極）には、レンズホルダー１の各永久磁石７及び８の間の中央部分に形成される孔１５内に配置される内部ヨーク１６が対向されており、前記第２の永久磁石７及び８と外部ヨーク１１及び１２と内部ヨーク１６とは永久磁石７の一方の磁極面と内部ヨーク１６との間、及び永久磁石８の一方の磁極面と内部ヨーク１６との間にそれぞれ磁気空隙を形成する第２磁気回路部を構成する。
【００２１】
　レンズホルダー１の周囲には、外部ヨーク９及び１０、外部ヨーク１０及び１１、外部ヨーク１１及び１２、外部ヨーク１２及び９をそれぞれ連結してレンズホルダー１を囲うフレーム１７ａ〜１７ｄが構成され、フレーム１７ｄからは取付部１８が延設されてその取付部１８で対物レンズ駆動機構が対物レンズ２を除く光学素子が組み込まれる光学ハウジング（図示せず）に取り付けられる。
【００２２】
　前記取付部１８には配線基板１９が固定され、その配線基板１９に各一方の端部がハンダ付け固定された４本の支持ワイヤー２０は各他方の端部でレンズホルダー１にハンダ付けにより固定され、それによりレンズホルダー１は各支持ワイヤー２０により変位可能に弾性的に支持されている。
【００２３】
　前記各支持ワイヤー２０は、配線基板１９に固定された補助部材２１に形成された溝内にそれぞれ配置され、それらの溝内に充填されるダンプ剤により制振されている。
【００２４】
　このように構成される対物レンズ駆動装置は、フォーカシングコイル３ａ及び３ｂに直列にフォーカス制御信号を供給することによりそのフォーカス制御信号に応じてレンズホルダー１を介して対物レンズ２をフォーカス方向に駆動することが出来、トラッキングコイル４ａ乃至４ｄに直列にトラッキング制御信号を供給することによりそのトラッキング制御信号に応じてレンズホルダー１を介して対物レンズ２をトラッキング方向に駆動することが出来る。
【００２５】
　次に、このように構成される対物レンズ駆動装置において、本発明の主要構成について図１、図２及びレンズホルダー部分を示した展開斜視図の図３を用いて更に詳細に説明する。
【００２６】
　レンズホルダー１には両側端の中央部分の上下にそれぞれ係止部２２ａ〜２２ｄが一体的に形成され、これらの係止部２２ａ〜２２ｄにはフォーカシングコイル３ａ及び３ｂの巻回始端及び巻回終端の各巻回端部とトラッキングコイル４ａ〜４ｄの巻回始端及び巻回終端の各巻回端部とがそれぞれ絡げて独立して係止される。
【００２７】
　ここで、各係止部２２ａ〜２２ｄにそれぞれ係止された各巻回端部において、そのコイル線の絶縁被膜は剥がされる。
【００２８】
　また、レンズホルダー１には、一方の側面に上下の係止部２２ａ及び２２ｂをそれぞれ挟み込む挾持部２３ａ及び２３ｂを有する固定板２３がレンズホルダー１の一方の側方から装着され、他方の側面に上下の係止部２２ｃ及び２２ｄをそれぞれ挟み込む挾持部２４ａ及び２４ｂを有する固定板２４がレンズホルダー１の他方の側方から装着されるようになっている。
【００２９】
　前記固定板２３は、挾持部２３ａ及び２３ｂにより係止部２２ａ及び２２ｂを挾持する状態にすることでレンズホルダー１に嵌合されて取り付けられ、前記固定板２４は、挾持部２４ａ及び２４ｂにより係止部２２ｃ及び２２ｄを挾持する状態にすることでレンズホルダー１に嵌合されて取り付けられる。
【００３０】
　前記各固定板２３及び２４は各挾持部２３ａ，２３ｂ及び２４ａ，２４ｂにそれぞれランド部を有し、レンズホルダー１に取り付けられた状態で各ランド部をその各ランド部に対応するフォーカシングコイル３ａ，３ｂ及びトラッキングコイル４ａ〜４ｄの各巻回端部と共にハンダ付けすることにより前記各巻回端部が対応する各ランドに接続され、同時に前記各固定板２３及び２４がレンズホルダー１に固定される。
【００３１】
　支持ワイヤー２０は対物レンズ２を挟んでレンズホルダー１の両側にそれぞれ上下２本が配置され、レンズホルダー１の各側に配置されるそれぞれ２本の支持ワイヤー２０はそれぞれ各固定板２３及び２４に分かれてハンダ付けされる。
【００３２】
　このハンダ付けは、前記各固定板２３及び２４の各ランド部をその各ランド部に対応する各巻回端部と共にハンダ付けする際に同時に行われ、一方の固定板２３に固定されるそれぞれ２本の支持ワイヤー２０のうち下側の支持ワイヤーはその支持ワイヤーに対応する挾持部２３ｂに設けられたランド部に直接ハンダ付けされると共に、上側の支持ワイヤーはその支持ワイヤーに対応する挾持部２３ａに設けられたランド部より拡張されてそのランド部に連接される拡張ランド部２５にハンダ付けされ、他方の固定板２４に固定されるそれぞれ２本の支持ワイヤー２０のうち下側の支持ワイヤーはその支持ワイヤーに対応する挾持部２４ｂに設けられたランド部に直接ハンダ付けされると共に、上側の支持ワイヤーはその支持ワイヤーに対応する挾持部２４ａに設けられたランド部より拡張されてそのランド部に連接される拡張ランド部２６にハンダ付けされる。
【００３３】
　このように各支持ワイヤー２０が各固定板２３及び２４にハンダ付けにより固定されることによりフォーカシングコイル３ａ，３ｂ及びトラッキングコイル４ａ〜４ｄの各巻回端部はそれぞれ所定の支持ワイヤー２０に接続される。
【００３４】
　したがって、配線基板１９に供給されるフォーカス制御信号及びトラッキング制御信号がそれぞれ所定の支持ワイヤー２０を介してフォーカシングコイル３ａ，３ｂ及びトラッキングコイル４ａ〜４ｄに供給される。
【００３５】
　また、各固定板２３及び２４に固定されるそれぞれ２本の支持ワイヤー２０の固定範囲を下側の支持ワイヤーに比べて上側の支持ワイヤーを大としているので、上側の支持ワイヤーの有効長が下側の支持ワイヤーの有効長に比べて短くなり、この結果、レンズホルダー１がトラッキング方向に駆動される際に対物レンズ２の光軸と直交する方向を中心にして発生する有害な回転力が抑制され、レンズホルダー１をトラッキング方向に安定して駆動することが出来る。
【図面の簡単な説明】
【００３６】
【図１】本発明に係る対物レンズ駆動装置の一実施例を示す平面図である。
【図２】図１に示す対物レンズ駆動装置の側面からの端面図である。
【図３】本発明の主要構成であるレンズホルダー部分を示した展開斜視図である。
【符号の説明】
【００３７】
　１　　　　　　　　レンズホルダー
　３ａ，３ｂ　　　　フォーカシングコイル
　４ａ，４ｂ，４ｃ，４ｄ　　　トラッキングコイル
２０　　　　　　　　支持ワイヤー
２２ａ，２２ｂ，２２ｃ，２２ｄ　　　係止部
２３，２４　　　　　固定板
２３ａ，２３ｂ，２４ａ，２４ｂ　　　挾持部
２５，２６　　　　　拡張ランド部
【図１】
2004014113.tif 000003
【図２】
2004014113.tif 000004
【図３】
2004014113.tif 000005